(57)【要約】【課題】容器内での化粧料のガタ付きを抑制し、製品不良の発生を防止すること。【解決手段】摺動筒と外筒体との相対回転により中皿に固定した化粧料を前記外筒体より突出、後退させる棒状化粧料繰り出し容器において、中皿を前記摺動筒内にて最後退させたとき該中皿の下端が保持される保持部を前記摺動筒下端の把持部に設けて棒状化粧料繰り出し容器を構成した。これにより中皿を容器内にて最後退位置に移動させると、中皿下部が把持部内に設けられた保持部に保持されるので、中皿が容器内でガタ付くことなく確実に保持され、ガタ付きにより化粧料が容器内面に接触して製品不良を生じさせることがない。【選択図】              図１
2004147931.tif 000002
【特許請求の範囲】
【請求項１】
内面に螺旋状溝を備えた外筒体と、
該外筒体の内側に該外筒体に対して回動自在に設けられ、側面に軸線方向に延びるガイド縦孔を備えた摺動筒と、
該摺動筒の下部に設けられた把持部と、
前記摺動筒内に移動自在に設けられ、前記ガイド縦孔及び前記螺旋状溝の双方に係合する螺合突片を備え、化粧料が固定される中皿とからなり、前記摺動筒と前記外筒体との相対回転により前記中皿に固定された化粧料を前記外筒体より突出、後退させる棒状化粧料繰り出し容器において、
前記中皿を前記摺動筒内にて最後退させたとき該中皿の下端を保持する保持部を前記把持部内に設けたことを特徴とした棒状化粧料繰り出し容器。
【請求項２】
保持部は、把持部の内面に中心方向に向けて延設した係合片により構成したことを特徴とする請求項１に記載の棒状化粧料繰り出し容器。
【請求項３】
保持部は、把持部内側に設けられた、中皿の下部を収納し保持する溝部により構成したことを特徴とする請求項１に記載の棒状化粧料繰り出し容器。
【発明の詳細な説明】
【０００１】
【発明が属する技術分野】
本発明は、口紅等の棒状化粧料を収容した棒状化粧料繰り出し容器に関し、容器内での棒状化粧料のガタ付きを抑制し、棒状化粧料が容器内面に接触することによる製品不良の発生を防止した棒状化粧料繰り出し容器に関するものである。
【０００２】
【従来の技術】
口紅等の棒状化粧料を収容した棒状化粧料繰り出し容器は一般に、外筒体の内側に抜け止めした摺動筒を外筒体に対して回動自在に設け、例えば外筒体の内面に螺旋状の溝を、また摺動筒に軸線方向に延びるガイド縦孔を形成し、摺動筒内に移動自在に設けられた中皿にガイド縦孔を貫通し、かつ螺旋状溝に係合する螺合突片を設け、摺動筒と外筒体との相対回転により中皿を軸方向に上下動させ、中皿に固定した化粧料を容器から突出、後退させていた。
【０００３】
また通常棒状化粧料繰り出し容器は、ガイド縦孔の上下端に軸心方向に延びる縦孔に加え図５に示すように回転方向に横孔１９を連続して形成し、その回転方向に形成した横孔１９内に螺合突片を移動させて、中皿の軸方向への移動を制限し、容器上面から突出させた口紅が使用中に容器内に戻らないようにしたり、容器内に収納した口紅が保管中に上昇してこないようにしていた。
【０００４】
更に、口紅が使用中や上昇途中にふらつかないよう中皿を摺動筒の内部で押さえるようにした発明が知られている。（例えば特許文献１参照。）。
【０００５】
【特許文献１】
特開平１１−１８７９２９号公報。
【０００６】
【発明が解決しようとする課題】
しかしながら、従来の棒状化粧料繰り出し容器は、口紅を突出させた状態や繰り出している途中の状態では中皿を摺動筒の内面に適度の圧力で保持させて使用感を向上させていたが、容器内に最後退させたときはガイド縦孔の下端に形成した回転方向の横孔内に螺合突片を移動させ、また中皿の下端部が摺動筒の内面から離脱しているため、中皿を保持する力が充分でなく、最後退位置では中皿にガタ付きが生じ、保管、運搬中に口紅等の化粧料が容器内面に接触し製品不良を発生させるおそれがあった。
【０００７】
本発明は、口紅等の化粧料を収容した状態で、化粧料のガタ付きがなく保管、運搬中等において製品不良を生じさせない棒状化粧料繰り出し容器を提供することを目的とする。
【０００８】
【課題を解決するための手段】
本発明は上記課題を解消すべく、棒状化粧料繰り出し容器を次のように構成した。
【０００９】
請求項１に記載の発明は、内面に螺旋状溝を備えた外筒体と、該外筒体の内側に該外筒体に対して回動自在に設けられ、側面に軸線方向に延びるガイド縦孔を備えた摺動筒と、該摺動筒の下部に設けられた把持部と、該摺動筒内に移動自在に設けられ、前記ガイド縦孔及び前記螺旋状溝の双方に係合する螺合突片を備え、化粧料が固定される中皿とからなり、前記摺動筒と前記外筒体との相対回転により前記中皿に固定された化粧料を前記外筒体より突出、後退させる棒状化粧料繰り出し容器において、前記中皿を前記摺動筒内にて最後退させたとき該中皿の下端を保持する保持部を前記把持部内に設けたこととした。これにより、中皿を最後退位置において保持部により保持でき、ガタ付きを無くして製品不良の発生を防止できる。
【００１０】
請求項２に記載の発明は、請求項１に記載の発明において、保持部を、把持部の内面に中心方向に向けて延設した係合片により構成した。
【００１１】
請求項３に記載の発明は、請求項１に記載の発明において、保持部は、把持部内側に設けられた、中皿の下部を収納し保持する溝部により構成した。このようにしても、中皿を最後退位置において保持でき容器内面への接触による製品不良を防止できる。
【００１２】
【発明の実施の形態】
本発明の実施形態を、図面を参照しながら説明する。
【００１３】
棒状化粧料繰り出し容器１（以下、容器１とする）は、図１に示すように外筒体２と、外筒体２の内側に回動自在に設けられた摺動筒４と、摺動筒４内に昇降自在に設けられた中皿６と、中皿６に固定されている口紅などの化粧料Ｋ等から構成されている。
【００１４】
外筒体２は、外筒１０と外筒１０の内側に回動不能に固定されている螺旋筒１１からなり、螺旋筒１１の内面に２条の螺旋溝１２が形成してある。尚、螺旋溝１２は２条でなくともよい。
【００１５】
摺動筒４は、下部に設けられた把持部１４と、把持部１４に一体に固定され、螺旋筒１１の内側に螺旋筒１１に対して回動自在に設けられた収納筒体１５からなり、収納筒体１５の上部に形成された外方に拡径した係合爪１６により螺旋筒１１から抜け出ないようになっている。また収納筒体１５には、図５に示すように中心軸を挟んで対向した２本のガイド縦孔１７が軸心と平行に収納筒体１５のほぼ全高さにわたって形成してあり、ガイド縦孔１７の上下端には円周方向に延びる横穴１９が形成してある。把持部１４は、図１に示すように外筒体２の外筒１０の外径とほぼ同一に形成してあり、内面には中心方向に延設された保持部としての係合片１８が周状に形成してある。係合片１８は適度に弾性を有しているのが好ましい。尚、係合片１８は周状でなく、所定の間隔で切り溝が設けられ分割されていてもよい。
【００１６】
中皿６は、化粧料Ｋの下部を保持する移動筒体２０と、移動筒体２０の外周面に突出した螺合突片２１からなっている。螺合突片２１は、移動筒体２０の中心を挟んで対向して２箇所設けてあり、ガイド縦孔１７を貫通し螺旋溝１２内に突出し係合されている。更に移動筒体２０の下部には外径を狭めた縮経部２２が設けてあり、中皿６を最後退位置に移動させた際係合片１８の内面に当接し、係合片１８により保持されるようになっている。尚、螺合突片２１は２箇所でなく、螺旋溝１２の条数に対応して設けられていればよい。
【００１７】
次に棒状化粧料繰り出し容器１の作動について説明する。
【００１８】
外筒１０の外周を持って把持部１４を回動させると、収納筒体１５が螺旋筒１１の内面に沿って回動し、それにより収納筒体１５とともに中皿６が回動する。すると、螺合突片２１が螺旋筒１１に形成された螺旋溝１２に沿って移動するので中皿６が容器１内をガイド縦孔１７に沿って上下動され、化粧料Ｋが容器１から突出、後退される。
【００１９】
そして化粧料Ｋを容器１内に収容し、中皿６が可動範囲の最後退位置に移動されると図２に示すように中皿６の下部に形成された縮径部２２が把持部１４に設けられた係合片１８に保持される。したがって中皿６は、螺合突片２１が螺旋溝１２とガイド縦孔１７の双方に係合しているとともに縮径部２２が係合片１８内に保持されるので螺合突片２１が横孔１９内に移動していても中皿６のガタ付きが抑制される。そのため、運搬時等において容器１に振動が加えられても化粧料Ｋにガタ付きが生ずることがなく収納筒体１５の内面に接触して製品不良を起こすことがない。
【００２０】
係合片１８は縮径部２２を適度な保持力で保持しており、把持部１４を外筒１０に対して回転させる際大きな抵抗となることはなく、円滑に把持部１４を回動させて化粧料Ｋを容器１から引き出すことができる。
【００２１】
図３に棒状化粧料繰り出し容器の他の実施形態を示す。
【００２２】
この棒状化粧料繰り出し容器は把持部１４の内周面に、中皿６の移動筒体２０の下端部が収納保持される係合溝３０を周状に形成してある。係合溝３０は、把持部１４の内面と、この内面の内側に所定の間隙をもって把持部１４の底板２３から立設された周状の内壁２４とから形成され、その外径及び内径が移動筒体２０下部の外径及び内径にほぼ一致し、移動筒体２０が後退してきた際そのまま係合溝３０内に収納されるようになっている。また係合溝３０は、移動筒体２０を最後退位置まで収納するに充分な深さを有し、移動筒体２０を最後退位置まで収納すると移動筒体２０の下端をガタ付きなく保持できるようになっている。
【００２３】
また、内壁２４の上部は外周面側が内方に滑らかに傾斜しており、移動筒体２０の収納時に移動筒体２０の下端をガイドするようになっている。また内壁２４の内側は底板２３がなく開口されている。尚、他の構成は上記実施形態の構成と同様である。
【００２４】
このようにしても、図４に示すように中皿６を最後退位置に移動させたとき移動筒体２０の下端が係合溝３０に収納されることから中皿６を確実に保持でき、中皿６のガタ付きがなく、製品不良を発生させない。
【００２５】
尚、把持部が中皿を保持、収納させる形態は、上記例に限定するものではない。
【００２６】
【発明の効果】
本発明は、上記した構成となっているので、以下に示す効果を奏する。
【００２７】
中皿を容器内にて最後退位置に移動させると、中皿下部が把持部内に設けられた保持部に保持されるので、中皿が容器内でガタ付くことなく確実に保持される。したがって、保管、運搬中等において中皿のガタ付きにより化粧料が容器内面に接触して製品不良を生じさせることがない。
【図面の簡単な説明】
【図１】本発明の一実施形態を示す、棒状化粧料繰り出し容器の全体縦断面図。
【図２】口紅を収納した状態を示す図１の棒状化粧料繰り出し容器の断面図。
【図３】棒状化粧料繰り出し容器の他の例を示す断面図
【図４】口紅を収納した状態を示す図３の棒状化粧料繰り出し容器の断面図。
【図５】収納筒体を示す斜視図。
【符号の説明】
１  ；  容器
２  ；  外筒体
４  ；  摺動筒
６  ；  中皿
１０；  外筒
１１；  螺旋筒
１２；  螺旋溝
１４；  把持部
１５；  収納筒体
１６；  係合爪
１７；  ガイド縦孔
１８；  係合片
１９；  横孔
２０；  移動筒体
２１；  螺合突片
２２；  縮径部
２３；  底板
２４；  内壁
３０；  係合溝
Ｋ  ；  化粧料
【図１】
2004147931.tif 000003
【図２】
2004147931.tif 000004
【図３】
2004147931.tif 000005
【図４】
2004147931.tif 000006
【図５】
2004147931.tif 000007